(57)【要約】【課題】  被移動物をＸ、Ｙの方向に微調整移動させる。【解決手段】  ベースプレート１上にＸ方向に移動自在なＸプレート１１を、このＸプレート１１上にＹ方向に移動自在なＹプレート３１夫々を載置し、Ｘ、Ｙ夫々のプレート１１，３１をＸ方向に移動させるＸ方向移動機構１０、Ｙ方向に移動させるＹ方向移動機構３０を備える。Ｘ方向移動機構１０は、ベースプレート１上でＹ方向に沿って進退するＸ方向ネジ送り操作シャフト体１５を挿通支持しているＸ支持ブロック体１９、Ｘ方向ネジ送り操作シャフト体１５の先端、Ｘプレート１１縁に連結したＸ連結アーム２２端夫々をほぼ直交させてＸ支持ブロック体１９に連結支承しているＸ揺動リンク２１等を備える。Ｙ方向移動機構３０は、Ｘプレート１１上でＹ方向に進退するＹ方向ネジ送り操作シャフト体３６に連繋されてＹプレート３１に固着配置したＹ移動ブロック操作部３９を備える。【選択図】      図１
2007062996.tif 000002
【特許請求の範囲】
【請求項１】
ベースプレートと、このベースプレート上にＸ方向に沿って移動自在にして載置されたＸプレートと、このＸプレート上にＹ方向に沿って移動自在にして載置されたＹプレートと、ベースプレートに付設のＸ方向操作プレート部上に配置され、Ｘプレートをネジ送りでＸ方向に移動させるＸ方向移動機構と、Ｘプレートに付設のＹ方向操作プレート部に配置され、Ｙプレートをネジ送りでＹ方向に移動させるＹ方向移動機構とを備えて成ることを特徴とする重量物等の微調整移動装置。
【請求項２】
Ｘ方向移動機構は、ベースプレートにおけるＸ方向操作プレート部上に固定されるＸ操作ブロック体に回転操作でネジ送り式にＹ方向に沿って進退されるよう挿入したＸ方向ネジ送り操作シャフト体と、ベースプレートにおけるＸ方向の前側縁あるいは後側縁に固着されていて、Ｘ方向ネジ送り操作シャフト体を挿通支持しているＸ支持ブロック体と、このＸ支持ブロック体に揺動自在に枢支されていると共に、Ｘ方向ネジ送り操作シャフト体の先端、Ｘプレート縁に連結したＸ連結アーム端夫々をほぼ直交させるような位置で揺動自在に夫々連結支承しているＸ揺動リンクとを備えて成る請求項１に記載の重量物等の微調整移動装置。
【請求項３】
Ｙ方向移動機構は、ＸプレートにおけるＹ方向操作プレート部上に固定されるＹ操作ブロック体に回転操作でネジ送り式にＹ方向に沿って進退されるよう挿入したＹ方向ネジ送り操作シャフト体と、このＹ方向ネジ送り操作シャフト体に連繋されてＹプレートに固着配置されているＹ移動ブロック操作部とを備えて成る請求項１または２に記載の重量物等の微調整移動装置。
【請求項４】
Ｘ方向移動機構のＸ方向ネジ送り操作シャフト体、Ｙ方向移動機構のＹ方向ネジ送り操作シャフト体夫々は、ベースプレートに対し、共にＹ方向に沿って配置されている請求項１乃至３のいずれかに記載の重量物等の微調整移動装置。
【発明の詳細な説明】
【技術分野】
【０００１】
本発明は例えば大型の重量的に嵩張る各種機器を所定の設置場所に据え付けるに際し、その据え付け位置を前後左右のいわゆるＸ方向、Ｙ方向に移動調整するとき、それを微調整して移動できるようにした重量物等の微調整移動装置に関するものである。
【背景技術】
【０００２】
従来から各種の大型機器、例えば大型変圧器、各種の製造機器、精密機器その他を所定場所に据え付けるに際し、近時は相互に関連する機器類との連携整合性を図るためにも所定の決められた位置にきっちりと設置されることが要求されている。ただ、重量的に嵩張る大型機器類の場合には、据え付け場所における微調整の移動は極めて困難であり、据え付け作業上の大きなネックとなっている。
【特許文献１】特になし
【発明の開示】
【発明が解決しようとする課題】
【０００３】
こうした点を解消すべく従来提案されている微調整の移動装置は、かなりに大型で相互に交差する２方向への移動夫々が、移動させる方向に沿って配されている操作部においての回転ネジ送り操作によるものとなっている。そのため、作業者が作業を行うときに前後方向、左右方向に僅かずつでも移動させながら微調整するには、作業位置を頻繁に変更しなければならない面倒さがあった。
【０００４】
そこで、本発明は叙上のような従来存した諸事情に鑑み創出されたもので、移動すべき重量物等の被移動物底面に載置セットされた状態において移動調整することで、しかもその移動調整作業は移動方向に対してのいずれか一方の方向のみにおける作業位置で行なえるようにすることで微調整作業を迅速に行えるようにした重量物等の微調整移動装置を提供することを目的とする。
【課題を解決するための手段】
【０００５】
上述した課題を解決するため、本発明にあっては、ベースプレート１と、このベースプレート１上にＸ方向に沿って移動自在にして載置されたＸプレート１１と、このＸプレート１１上にＹ方向に沿って移動自在にして載置されたＹプレート３１と、ベースプレート１に付設のＸ方向操作プレート部４上に配置され、Ｘプレート１１をネジ送りでＸ方向に移動させるＸ方向移動機構１０と、Ｘプレート１１に付設のＹ方向操作プレート部３２に配置され、Ｙプレート３１をネジ送りでＹ方向に移動させるＹ方向移動機構３０とを備えて成る。
Ｘ方向移動機構１０は、ベースプレート１におけるＸ方向操作プレート部４上に固定されるＸ操作ブロック体１４に回転操作でネジ送り式にＹ方向に沿って進退されるよう挿入したＸ方向ネジ送り操作シャフト体１５と、ベースプレート１におけるＸ方向の前側縁あるいは後側縁に固着されていて、Ｘ方向ネジ送り操作シャフト体１５を挿通支持しているＸ支持ブロック体１９と、このＸ支持ブロック体１９に揺動自在に枢支されていると共に、Ｘ方向ネジ送り操作シャフト体１５の先端、Ｘプレート１１縁に連結したＸ連結アーム２２端夫々をほぼ直交させるような位置で揺動自在に夫々連結支承しているＸ揺動リンク２１とを備えて構成することができる。
Ｙ方向移動機構３０は、Ｘプレート１１におけるＹ方向操作プレート部３２上に固定されるＹ操作ブロック体３７に回転操作でネジ送り式にＹ方向に沿って進退されるよう挿入したＹ方向ネジ送り操作シャフト体３６と、このＹ方向ネジ送り操作シャフト体３６に連繋されてＹプレート３１に固着配置されているＹ移動ブロック操作部３９とを備えて構成することができる。
Ｘ方向移動機構１０のＸ方向ネジ送り操作シャフト体１５、Ｙ方向移動機構３０のＹ方向ネジ送り操作シャフト体３６夫々は、ベースプレート１に対し、共にＹ方向に沿って配置されていることで構成することができる。
【０００６】
以上のように構成された本発明に係る重量物等の微調整移動装置にあって、移動調整すべき被移動物Ｍの底面に本発明に係る微調整移動装置を配置セットするもので、このときＹプレート３１上に被移動物Ｍが載置されるようにしておき、Ｘ方向移動機構１０あるいはＹ方向移動機構３０夫々におけるＸ方向ネジ送り操作シャフト体１５、Ｙ方向ネジ送り操作シャフト体３６に対する回転操作はＸ方向、Ｙ方向に移動調整させる。
このときＸ方向移動機構１０において、Ｙ方向に沿って配置のＸ方向ネジ送り操作シャフト体１５に対する回転操作では、Ｘ揺動リンク２１を揺動させることでＸ方向に沿って配置のＸ連結アーム２２を進退させ、Ｘプレート１１をＸ方向に沿って前後にスライド調整させる。
同じくＹ方向移動機構３０において、Ｙ方向に沿って配置のＹ方向ネジ送り操作シャフト体３６に対する回転操作は、Ｙ移動ブロック操作部３９を進退させ、Ｙプレート３１をＹ方向に沿って前後にスライド調整させる。
【発明の効果】
【０００７】
本発明は以上のように構成されており、そのため、移動すべき重量物等の被移動物Ｍの底面に載置セットされた状態において移動調整することで、Ｘ方向、Ｙ方向のいずれへも微調整でそれを行うことができる。しかもその移動調整作業は移動方向に対して例えば共にＹ方向に沿って配置してあるＸ方向移動機構１０、Ｙ方向移動機構３０のいずれに対してもその一方の方向のみからの作業で異なる方向への移動における微調整作業を迅速に行えるのである。
【０００８】
すなわちこれは本発明が、ベースプレート１上にＸ方向に沿って移動自在にして載置されたＸプレート１１、このＸプレート１１上にＹ方向に沿って移動自在にして載置されたＹプレート３１、これらのＸ、Ｙの夫々のプレート１１，３１をＸ方向に移動させるＸ方向移動機構１０、あるいはＹ方向に移動させるＹ方向移動機構３０を備えたからであり、これによって、ＸＹのいずれかの方向に対する微調整移動、操作部に対する回転操作、また回転操作部位は一方の方向からの纏めた操作で可能である等によって微調整の移動作業を簡単迅速に行うことができる。
【０００９】
また、被移動物ＭをＸ方向に移動させるＸ方向移動機構１０は、ベースプレート１上でＹ方向に沿ってネジ送り式に進退されるＸ方向ネジ送り操作シャフト体１５、このＸ方向ネジ送り操作シャフト体１５を挿通支持しているＸ支持ブロック体１９、Ｘ方向ネジ送り操作シャフト体１５の先端、Ｘプレート１１縁に連結したＸ連結アーム２２端夫々をほぼ直交させてＸ支持ブロック体１９に連結支承しているＸ揺動リンク２１等を備えて成るから、Ｘ方向ネジ送り操作シャフト体１５に対する回転操作で、そのＹ方向に沿う進退をＸ方向に対する進退に変換でき、Ｘプレート１１ひいてはＹプレート３１上に載置されている被移動物ＭをＸ方向に沿って微調整移動できる。
【００１０】
一方、被移動物ＭをＹ方向に移動させるＹ方向移動機構３０は、Ｘプレート１１上でＹ方向に沿ってネジ送り式に進退されるＹ方向ネジ送り操作シャフト体３６、このＹ方向ネジ送り操作シャフト体３６に連繋されてＹプレート３１に固着配置したＹ移動ブロック操作部３９を備えて成るから、Ｙ方向ネジ送り操作シャフト体３６に対する回転操作で、Ｙプレート３１を直接に進退させ、Ｙプレート３１上に載置されている被移動物ＭをＹ方向に沿って微調整移動できる。
【００１１】
Ｘ方向移動機構１０におけるＸ方向ネジ送り操作シャフト体１５、Ｙ方向移動機構３０におけるＹ方向ネジ送り操作シャフト体３６夫々は、共にＹ方向に沿って配置されていることで、ベースプレート１上のＸプレート１１、Ｙプレート３１の移動、調整操作はベースプレート１に対して一方の方向からの操作で行え、作業の迅速化に役立つ。
【００１２】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１３】
以下図面を参照して本発明を実施するための最良の一形態を説明すると、図において示される符号１は各種の重量物等である被移動物Ｍの据え付け設置時に、据え付け位置等が微調整される据え付け場所等に移動作業のために載置されるベースプレートである。このベースプレート１上には、被移動物Ｍを前後、左右すなわち互いにほぼ直交するＸ方向、Ｙ方向に移動させるためのＸ方向移動機構１０、Ｙ方向移動機構を搭載してある。尚、Ｘ方向、Ｙ方向はいずれも一方の方向を基準としたときに他方の方向はそれに対するほぼ直交方向のものであり、いずれがＸ方向、Ｙ方向であっても差し障りなく、本明細書においてはこれらが便宜的なものとして説明される。
【００１４】
ベースプレート１自体は所定肉厚の平板状のプレート材から形成されており、例えば被移動物Ｍを載せられる程度の大きさ、場合によってはその隅部分を載せられる程度の大きさの平面でほぼ矩形状を呈するプレート本体２と、このプレート本体２における操作側の一隅部に突部状に連設された平面でほぼ矩形状の小さいＸ方向操作プレート部４とから成り、プレート本体２の上面にはＸ方向に沿う複数条のＸ方向ガイド下溝３を形成し、Ｘ方向操作プレート部４の上面には操作ブロック固定凹部５を形成してある。Ｘ方向操作プレート部４は、ベースプレート１におけるＸ方向に沿う前縁側あるいは後縁側のいずれか一方の隅部に位置して設けてあり、後述するＹ方向移動機構３０における操作部分とほぼ並行状に配置されるように配慮されている。
【００１５】
また、プレート本体２におけるＸ方向に沿う両側縁部には、相対向状にして断面でほぼＬ字形のＸ方向案内突縁部６を下向きにしてネジ止め等によって固着してあり、この両側のＸ方向案内突縁部６相互間で規制されて後述するＸプレート１１がスライドするようになっている。
【００１６】
Ｘ方向移動機構１０は、ベースプレート１のＸ方向に沿ってスライド可能にしてベースプレート１上に載置されるＸプレート１１をＸ方向に移動させるもので、ベースプレート１におけるＸ方向操作プレート部４上に固定されるＸ操作ブロック体１４に回転操作でネジ送り式にＹ方向に沿って進退されるよう挿入したＸ方向ネジ送り操作シャフト体１５と、ベースプレート１におけるＸ方向の前側縁あるいは後側縁に固着されていて、Ｘ方向ネジ送り操作シャフト体１５を挿通支持しているＸ支持ブロック体１９と、このＸ支持ブロック体１９に揺動自在に枢支され、Ｘ方向ネジ送り操作シャフト体１５の先端、Ｘプレート１１縁に連結したＸ連結アーム２２端夫々をほぼ直交させるような位置で揺動自在に夫々連結支承しているＸ揺動リンク２１とを備えて成る。すなわちＹ方向に沿って配されたＸ方向ネジ送り操作シャフト体１５に対するネジ送り回転操作によってＸ揺動リンク２１を前後に揺動させ、これに伴いＸプレート１１をＸ方向に沿ってスライドさせるようになっている。
【００１７】
Ｘプレート１１は、ベースプレート１上でＸ方向案内突縁部６相互間でこれに沿ってスライドされるよう、ベースプレート１の上面に設けた前記のＸ方向ガイド下溝３と、Ｘプレート１１の裏面にＸ方向に沿って設けられているＸ方向ガイド上溝１２とを合致した位置としてあり、合致した状態で形成される扁平状の空隙内に、ローラー状、ボール状等のＸ方向転動手段１３が配装されている。図示にあってのＸ方向転動手段１３は、前後端で例えば蟻溝状の凹凸部によって相互に着脱自在に連結されるローラーベース１３Ａと、このローラーベース１３Ａに周面の一部が表裏面に露出状態となって転動自在にして挿入配列される多数のローラー１３Ｂとから成っている。また、このＸプレート１１には、Ｙプレート３１をＹ方向にスライドさせるための後述のＹ方向移動機構３０の操作部分を配装固定するＹ方向操作プレート部３２を突設状に連設してある。
【００１８】
Ｘ方向ネジ送り操作シャフト体１５は、Ｘ方向操作プレート部４上の前部に固着したＸ操作ブロック体１４に回転自在にネジ止めしたＸ方向ネジ棒部１６と、このＸ方向ネジ棒部１６の先端が回転自在にフリー状態で連繋される後端連繋部をＸ方向操作プレート部４の後部に固着してあるＸ軸受ブロック体１８及びベースプレート１の縁部に固着した前記のＸ支持ブロック体１９に進退自在に挿入されてＸ方向ネジ棒部１６に連繋した帯板状のＸ操作シャフト１７とから成る。Ｘ方向ネジ送り操作シャフト体１５におけるＸ方向ネジ棒部１６の後端部分は、このＸ方向ネジ送り操作シャフト体１５自体を回転させるために外形が例えば六角形状に形成されて、Ｘ操作ブロック体１４後方に外出している。また、このＸ方向ネジ棒部１６の先端部分はさ軸受ブロック体１８内でＸ操作シャフト１７後端におけるＬ字状後部にフリーな状態で回転自在に連繋され、Ｘ方向ネジ棒部１６の回転による進退がＸ操作シャフト１７自体の進退作動となるようにしてある。
【００１９】
図示にあってのＸ支持ブロック体１９は、Ｘプレート１１の後側縁にネジ止め等によって固着されており、平面から見て鉤形のほぼＪ字形を呈する扁平状に形成されていて、Ｘ方向ネジ送り操作シャフト体１５における操作シャフト１７の挿通部分をＹ方向に沿った位置でスライド自在に支持しており、また揺動リンク２１の中央支承部分を、Ｙ方向に沿った先端位置で連繋させてある。
【００２０】
揺動リンク２１は、その中央支承部分を支点として揺動することで、Ｘ方向ネジ送り操作シャフト体１５によるＹ方向の進退動作をＸ方向の進退動作に変換するもので、平面から見てほぼ直角三角形状を呈し、その直角部分を中央支承部分として支持ブロック体１９端に揺動自在に支承され、一方の隅部がＸ方向ネジ送り操作シャフト体１５すなわち操作シャフト１７先端に、他方の隅部がＸプレート１１に連結してある前記連結アーム２２端に夫々揺動自在に連繋してある。
【００２１】
尚、連結アーム２２はＸプレート１１の側縁におけるほぼ中央位置でＸ方向に沿って突出するようネジ止め等によって連結されており、その自由端側で揺動リンク２１に連繋されている。
【００２２】
一方、Ｙ方向移動機構３０は、ベースプレート１におけるＹ方向に沿ってスライド可能にしてＸプレート１１上に載置されるＹプレート３１をＹ方向に移動させるもので、Ｘプレート１１におけるＹ方向操作プレート部３２上に固定されるＹ操作ブロック体３７に回転操作でネジ送り式にＹ方向に沿って進退されるよう挿入したＹ方向ネジ送り操作シャフト体３６と、このＹ方向ネジ送り操作シャフト体３６に連繋されてＹプレート３１に固着配置されているＹ移動ブロック操作部３９とを備えて成る。すなわちＹ方向に沿って配されたＹ方向ネジ送り操作シャフト体３６に対するネジ送り回転操作によってＹ移動ブロック操作部３９を介してＹプレート３１をＸプレート１１上でＹ方向に沿ってスライドさせるようになっている。
【００２３】
Ｙプレート３１は、Ｘプレート１１上で、このＸプレート１１におけるＹ方向の両側縁部に相対向状にして断面でほぼＬ字形で、下向きにしてネジ止め等によって固着してあるＹ方向案内突縁部３３相互間で規制されてＹ方向にスライドするようになっている。そのため、Ｘプレート１１の上面にＹ方向に沿って設けた複数条のＹ方向ガイド下溝２３と、Ｙプレート３１の裏面に同じくＹ方向に沿って設けられているＹ方向ガイド上溝３４とを合致した位置としてあり、合致した状態で形成される扁平状の空隙内に、ローラー状、ボール状等のＹ方向転動手段３５が配装されている。図示にあってのＹ方向転動手段３５は、先のＸ方向転動手段１３と基本的にはほぼ同構造であるのでその詳細は省略される。
【００２４】
Ｙ方向ネジ送り操作シャフト体３６は、Ｘプレート１１上の前部であるＹ方向操作プレート部３２上に固着したＹ操作ブロック体３７に回転自在にネジ止めしたＹ方向ネジ棒部３８から成り、このＹ方向ネジ棒部３８の後端部分は、このＹ方向ネジ送り操作シャフト体３６自体を回転させるために外形が例えば六角形状に形成されて、Ｙ操作ブロック体３７後方に外出している。また、このＹ方向ネジ棒部３８の先端部分は、Ｙプレート３１の前部上に固着配置のＹ移動ブロック操作部３９に、その内部でフリーな状態で回転自在に連繋され、Ｙ方向ネジ棒部３８の回転による進退がＹ移動ブロック操作部３９ひいてはＹプレート３１自体の進退作動となるようにしてある。
【００２５】
尚、図示を省略したが、ベースプレート１下面にキャスタ等の移動手段を配装することもでき、こうすることで例えば本発明に係る微調整移動装置自体を所定の使用場所に簡単に移動できるようにしてもよい。またこのとき、キャスタ等が配装された状態で使用される場合には、所定の方法によってキャスタ自体の移動がきっちりと停止保持されるものとされ、場合によってはキャスタ自体が着脱自在なものとされる。
【００２６】
次にこれの使用の一例を説明すると図１に示すように、移動調整すべき所定の被移動物Ｍの底面に、被移動物Ｍの据え付け面との間に介在されるように配置セットし、Ｘ方向移動機構１０、Ｙ方向移動機構３０の操作によって被移動物ＭをＸ方向あるいはＹ方向に移動する。このときのＸ方向移動機構１０、Ｙ方向移動機構３０夫々に対する操作はそのＸ方向ネジ送り操作シャフト体１５、Ｙ方向ネジ送り操作シャフト体３６夫々に対する捻回操作であり、その捻回操作によるネジ送りの移動量によって微調整をする。このとき、Ｘ方向移動機構１０においてのＸ方向ネジ送り操作シャフト体１５に対する捻回操作は、Ｘ方向ネジ棒部１６、Ｘ操作シャフト１７のＹ方向に沿う進退でＸ揺動リンク２１がＸ方向に沿う進退動作に変換され、Ｘプレート１１を介して被移動物ＭをＸ方向に微調整移動させる。一方、Ｙ方向移動機構３０においてのＹ方向ネジ送り操作シャフト体３６に対する捻回操作は、Ｙ方向ネジ棒部３８のＹ方向に沿う進退でＹプレート３１を直接に進退させ、Ｙプレート３１を介して被移動物ＭをＹ方向に微調整移動させる。
【図面の簡単な説明】
【００２７】
【図１】本発明を実施するための最良の形態における斜視図である。
【図２】同じく夫々のプレート部分の配置を表した分解斜視図である。
【図３】同じく平面図である。
【図４】同じくＹ方向から見た側面図である。
【図５】同じくＸ方向から見た側面図である。
【図６】同じく調整移動時の概略を示す平面図で、その（Ａ）はＸ方向に移動調整した場合、（Ｂ）はＹ方向に移動調整した場合である。
【符号の説明】
【００２８】
Ｍ…被移動物
１…ベースプレート                      ２…プレート本体
３…Ｘ方向ガイド下溝                    ４…Ｘ方向操作プレート部
５…操作ブロック固定凹部                ６…Ｘ方向案内突縁部
１０…Ｘ方向移動機構                    １１…Ｘプレート
１２…Ｘ方向ガイド上溝                  １３…Ｘ方向転動手段
１３Ａ…ローラーベース                  １３Ｂ…ローラー
１４…Ｘ操作ブロック体                  １５…Ｘ方向ネジ送り操作シャフト体
１６…Ｘ方向ネジ棒部                    １７…Ｘ操作シャフト
１８…Ｘ軸受ブロック体                  １９…Ｘ支持ブロック体
２１…Ｘ揺動リンク                      ２２…Ｘ連結アーム
２３…Ｙ方向ガイド下溝
３０…Ｙ方向移動機構                    ３１…Ｙプレート
３２…Ｙ方向操作プレート部              ３３…Ｙ方向案内突縁部
３４…Ｙ方向ガイド上溝                  ３５…Ｙ転動手段
３６…Ｙ方向ネジ送り操作シャフト体      ３７…Ｙ操作ブロック体
３８…Ｙ方向ネジ棒部                    ３９…Ｙ移動ブロック操作部
【図１】
2007062996.tif 000003
【図２】
2007062996.tif 000004
【図３】
2007062996.tif 000005
【図４】
2007062996.tif 000006
【図５】
2007062996.tif 000007
【図６】
2007062996.tif 000008